(57)【要約】【課題】従来のショッピングカートや買い物かごでは、買い物客に、その位置に応じた情報を動的に提示することができなかった。そのために、例えば、陳列棚の商品に関する情報をタイミング良く出力できなかった。【解決手段】ディスプレイと、情報を受信する情報受信部と、位置情報を受信する位置情報受信部と、情報受信部で受信した情報の中から位置情報に応じて情報を選択する情報選択部と、情報選択部が選択した情報をディスプレイに表示する情報出力部を具備するショッピングカートまたは買い物かごにより、位置に応じた情報を動的に提示できる。【選択図】図１
2004110805.tif 000002
【特許請求の範囲】
【請求項１】
情報を表示するディスプレイを具備するショッピングカートであって、
ショッピングカートの位置に基づいて前記ディスプレイに情報を選択して表示するショッピングカート。
【請求項２】
ディスプレイと、
１以上の情報を保持している情報保持部と、
位置情報を受信する位置情報受信部と、
前記情報保持部の情報の中から前記位置情報に応じて情報を選択する情報選択部と、
前記情報選択部が選択した情報を前記ディスプレイに表示する情報出力部を
具備するショッピングカート。
【請求項３】
ディスプレイと、
情報を受信する情報受信部と、
位置情報を受信する位置情報受信部と、
前記情報受信部で受信した情報の中から前記位置情報に応じて情報を選択する情報選択部と、
前記情報選択部が選択した情報を前記ディスプレイに表示する情報出力部を
具備するショッピングカート。
【請求項４】
ディスプレイと、
ショッピングカートの移動に関する情報である移動情報を取得する移動情報取得部を具備し、
前記移動情報に基づいて情報を前記ディスプレイに表示するショッピングカート。
【請求項５】
情報を受信する情報受信部をさらに具備し、
前記ディスプレイに表示する情報は前記情報受信部が受信した情報である請求項４記載のショッピングカート。
【請求項６】
前記移動情報取得部は、ショッピングカートが動く経路に関する情報である経路情報を取得する請求項４または請求項５いずれか記載のショッピングカート。
【請求項７】
前記移動情報取得部は、ショッピングカートのある地点での滞留時間を示す情報である滞留時間情報を取得する請求項４または請求項５いずれか記載のショッピングカート。
【請求項８】
ディスプレイに情報を表示するショッピングカートであって、
商品に関する情報である商品情報を読み取る商品情報読取部を具備し、
前記商品情報に基づいて前記ディスプレイに情報を表示するショッピングカート。
【請求項９】
外部から情報を受信する情報受信部をさらに具備し、
前記表示される情報は、前記情報受信部が受信した情報である請求項８記載のショッピングカート。
【請求項１０】
前記商品情報は、ショッピングカート内の商品の重量に関する情報である請求項８または請求項９いずれか記載のショッピングカート。
【請求項１１】
前記商品情報は、ショッピングカート内の商品の種類に関する情報である請求項８または請求項９いずれか記載のショッピングカート。
【請求項１２】
情報を表示するディスプレイを具備する買い物かごであって、
買い物かごの位置に基づいて前記ディスプレイに情報を選択して表示する買い物かご。
【請求項１３】
ディスプレイと、
１以上の情報を保持している情報保持部と、
位置情報を取得する位置情報取得部と、
前記情報保持部の情報の中から前記位置情報に応じて情報を選択する情報選択部と、
前記情報選択部が選択した情報を前記ディスプレイに表示する情報出力部を
具備する買い物かご。
【請求項１４】
ディスプレイと、
情報を受信する情報受信部と、
位置情報を取得する位置情報取得部と、
前記情報受信部で受信した情報の中から前記位置情報に応じて情報を選択する情報選択部と、
前記情報選択部が選択した情報を前記ディスプレイに表示する情報出力部を
具備する買い物かご。
【請求項１５】
ディスプレイと、
買い物かごの移動に関する情報である移動情報を取得する移動情報取得部を具備し、
前記移動情報に基づいて情報を前記ディスプレイに表示する買い物かご。
【請求項１６】
情報を受信する情報受信部をさらに具備し、
前記ディスプレイに表示する情報は前記情報受信部が受信した情報である請求項１５記載の買い物かご。
【請求項１７】
前記移動情報取得部は、買い物かごが動く経路に関する情報である経路情報を取得する請求項１５または請求項１６いずれか記載の買い物かご。
【請求項１８】
前記移動情報取得部は、買い物かごのある地点での滞留時間を示す情報である滞留時間情報を取得する請求項１５または請求項１６いずれか記載の買い物かご。
【請求項１９】
ディスプレイに情報を表示する買い物かごであって、
商品に関する情報である商品情報を読み取る商品情報読取部を具備し、
前記商品情報に基づいて前記ディスプレイに情報を表示する買い物かご。
【請求項２０】
外部から情報を受信する情報受信部をさらに具備し、
前記表示される情報は、前記情報受信部が受信した情報である請求項１９記載の買い物かご。
【請求項２１】
前記商品情報は、買い物かご内の商品の重量に関する情報である請求項１９または請求項２０いずれか記載の買い物かご。
【請求項２２】
前記商品情報は、買い物かご内の商品の種類に関する情報である請求項１９または請求項２０いずれか記載の買い物かご。
【請求項２３】
買い物かごと、ディスプレイを具備するショッピングカートを有するショッピングカートシステムであって、
前記買い物かごは情報を受信し、
前記ショッピングカートは、
前記買い物かごが受信した情報を、ショッピングカートまたは買い物かごの位置に基づいて前記ディスプレイに情報を選択して表示するショッピングカートシステム。
【請求項２４】
買い物かごと、ディスプレイを具備するショッピングカートを有するショッピングカートシステムであって、
前記買い物かごは、
１以上の情報を保持している情報保持部と、
位置情報を受信する位置情報受信部と、
前記情報保持部の情報の中から前記位置情報に応じて情報を選択する情報選択部と、
前記情報選択部が選択した情報を前記ショッピングカートに送信する情報受渡部を具備し、
前記ショッピングカートは、
前記情報受渡部が送信した情報を受信する情報受取部と、
前記情報受取部が受信した情報を前記ディスプレイに表示する情報出力部を
具備するショッピングカートシステム。
【請求項２５】
買い物かごと、ディスプレイを具備するショッピングカートを有するショッピングカートシステムであって、
前記買い物かごは、
情報を受信する情報受信部と、
位置情報を受信する位置情報受信部と、
前記情報受信部で受信した情報の中から前記位置情報に応じて情報を選択する情報選択部と、
前記情報選択部が選択した情報を前記ショッピングカートに送信する情報受渡部を具備し、
前記ショッピングカートは、
前記情報受渡部が送信した情報を受信する情報受取部と、
前記情報受取部が受信した情報を前記ディスプレイに表示する情報出力部を
具備するショッピングカートシステム。
【請求項２６】
請求項２４または請求項２５いずれか記載のショッピングカートシステムを構成する買い物かご。
【請求項２７】
請求項２４または請求項２５いずれか記載のショッピングカートシステムを構成するショッピングカート。
【発明の詳細な説明】
【技術分野】
【０００１】
　本発明は、ショッピングモールやスーパーなどで利用するカートや買い物かご等に関するものである。
【背景技術】
【０００２】
　第一の従来のショッピングカート（以下、適宜、カートという。）や買い物かごは、ショッピングモールやスーパーなどで設置されており、買い物客は自由に利用することができる。通常、カートや買い物かごにおいて情報の提示はなかった。また、カート等に存在する情報の提示は、固定的な店の名称が書かれた看板によるものであった。
【０００３】
　また、ショッピングモールやスーパーなどにおけるお買い得情報などの広告情報の提示は、吊り下げられたチラシや音声によるものであった。
【０００４】
　また、第二の従来技術におけるショッピングカートは、買い物客が容易かつ確実に短時間で目的とする売り場に到達することができ、目的の商品を購入することができるショッピングカートを得ることを目的とするショッピングカートであった（特許文献１参照）。本ショッピングカートは、距離センサ、方向センサ、並びに高さセンサを有するナビゲーションシステムを設置したショッピングカートである。
【特許文献１】特開平６−１０７１８３号公報（第１頁、第１図等）
【発明の開示】
【発明が解決しようとする課題】
【０００５】
　しかしながら、従来のカートや買い物かごでは、買い物客に、その位置に応じた情報を動的に提示することができなかった。そのために、例えば、陳列棚の商品に関する情報をタイミング良く出力できなかった。
【０００６】
　また、従来のカートや買い物かごでは、買い物客の行動に合わせた、つまり、買い物客の嗜好に合わせた情報を動的に提示することができなかった。
【０００７】
　さらに、従来のカートや買い物かごでは、購入しようとする商品に合わせた、つまり、買い物客の嗜好に合わせた情報を動的に提示することができなかった。
【課題を解決するための手段】
【０００８】
　以上の課題を解決するための第一の発明は、情報を表示するディスプレイを具備するショッピングカートであって、ショッピングカートの位置に基づいてディスプレイに情報を選択して表示するショッピングカート、または買い物かごである。
【０００９】
　また、第二の発明は、ディスプレイと、ショッピングカートの移動に関する情報である移動情報を取得する移動情報取得部を具備し、移動情報に基づいて情報をディスプレイに表示するショッピングカート、または買い物かごである。
【００１０】
　また、第三の発明は、ディスプレイに情報を表示するショッピングカートであって、商品に関する情報である商品情報を読み取る商品情報読取部を具備し、商品情報に基づいてディスプレイに情報を表示するショッピングカート、または買い物かごである。
【発明の効果】
【００１１】
　本発明によれば、商品情報等を適切に表示できるショッピングカートや買い物かごにより、販売促進が可能になり、また、買い物にも便利である。
【発明を実施するための最良の形態】
【００１２】
以下、ショッピングカート等の実施形態について図面を参照して説明する。なお、実施の形態において同じ符号を付した構成要素は同様の動作を行うので、再度の説明を省略する場合がある。
【００１３】
　（実施の形態１）
図１は、本実施の形態に係るショッピングカートシステムの概念図である。ショッピングカートシステムは、情報送信装置１１、位置情報送信装置１２、ショッピングカート１３を有する。位置情報送信装置１２は、例えば、陳列棚の上に設置されている。ショッピングカート１３には車輪が付いており、移動されやすくなっている。ショッピングカート１３のかごの内部に購入しようとする商品が入れられる。
【００１４】
　図２は、本実施の形態に係るショッピングカートシステムの構成を示すブロック図である。情報送信装置１１は、情報格納部１１０１、情報送信部１１０２を有する。位置情報送信装置１２は、位置情報格納部１２０１、位置情報送信部１２０２を有する。ショッピングカート１３は、情報受信部１３０１、位置情報受信部１３０２、情報選択部１３０３、情報出力部１３０４を有する。
【００１５】
　情報格納部１１０１は、１以上の情報を格納している。情報格納部１１０１が格納している情報は、例えば、本日の特売品に関する情報や、時間制限のバーゲン情報や、お買い得情報等である。情報の構造やデータタイプ（テキスト、音声、静止画、動画など）は問わない。情報格納部１１０１は、不揮発性の記録媒体が好適であるが、揮発性の記録媒体でも良い。
【００１６】
　情報送信部１１０２は、情報格納部１１０１に格納されている情報を、ショッピングカート１３に送信する。情報送信部１１０２は、通常、無線の通信手段により実現され得るが、放送手段でも実現可能である。
【００１７】
　位置情報格納部１２０１は、位置情報を格納している。位置情報は、好ましくは陳列棚の位置を示す情報である。位置情報のデータ構造は問わない。位置情報は、例えば、緯度、経度を示す情報等でも良い。位置情報格納部１２０１は、不揮発性の記録媒体が好適であるが、揮発性の記録媒体でも良い。
【００１８】
　位置情報送信部１２０２は、位置情報格納部１２０１に格納している位置情報をショッピングカート１３に送信する。位置情報送信部１２０２は、近距離無線通信規約のブルートゥースなどの無線通信手段が好適であるが、放送手段で実現されても良い。
【００１９】
　情報受信部１３０１は、情報送信装置１１から情報を受信する。情報受信部１３０１は、通常、無線の通信手段により実現され得るが、放送を受信する手段でも実現可能である。
【００２０】
　位置情報受信部１３０２は、位置情報送信装置１２から位置情報を受信する。位置情報受信部１３０２は、通常、無線の通信手段により実現され得るが、放送を受信する手段でも実現可能である。
【００２１】
　情報選択部１３０３は、位置情報受信部１３０２が受信した位置情報に基づいて、情報受信部１３０１が受信した情報の中で、出力する情報を選択する。情報選択部１３０３は、通常、ソフトウェアで実現されるが、ハードウェア（専用回路）で実現されても良い。
【００２２】
　情報出力部１３０４は、情報選択部１３０３が選択した情報を出力する。出力とは、ディスプレイへの表示が一般的であるが、スピーカーへの音声出力、信号音出力、プリンタへの印字、ＬＥＤ等への光の情報出力なども含む。情報出力部１３０４は、例えば、ディスプレイとそのドライバーソフトと情報を表示するソフトウェアから実現され得る。情報出力部１３０４の実現手段は、出力の態様により種々考えられる。なお、ディスプレイとは、プロジェクターなどや、ホログラムなどを用いたものも含む。
【００２３】
　以下、本実施の形態に係るショッピングカートシステムの動作について説明する。まず、情報送信装置１１の動作について説明する。情報送信装置１１の情報送信部１１０２は、情報格納部１１０１に格納されている情報を１以上のショッピングカート１３に送信する。情報送信部１１０２は、定期的に情報を送信しても良いし、お店の店員の指示命令の受け付けにより情報を送信しても良い。つまり、情報送信部１１０２が情報を送信するタイミングは問わない。
【００２４】
　次に、位置情報送信装置１２の動作について説明する。位置情報送信部１２０２は、通常、以下の動作を行う。つまり、位置情報送信部１２０２は、位置情報格納部１２０１に格納されている位置情報を、常時、外部に送信する。
【００２５】
　次に、ショッピングカート１３の動作について図３のフローチャートを用いて説明する。
【００２６】
　（ステップＳ３０１）初期化を行う。初期化とは、例えば、情報を格納するバッファと位置情報を格納するバッファをＮＵＬＬにする。
【００２７】
　（ステップＳ３０２）情報受信部１３０１は、情報送信装置１１から情報を受信したか否かを判断する。情報を受信すればステップＳ３０３に行き、情報を受信しなければステップＳ３０４に飛ぶ。
【００２８】
　（ステップＳ３０３）ステップＳ３０２で受信した情報をバッファに格納する。ステップＳ３０５に行く。
【００２９】
　（ステップＳ３０４）バッファに情報が存在するか否かを判断する。情報が存在すればステップＳ３０５に行き、情報が存在しなければステップＳ３０２に戻る。
【００３０】
　（ステップＳ３０５）位置情報受信部１３０２は、位置情報送信装置１２から位置情報を受信したか否かを判断する。位置情報を受信すればステップＳ３０６に行き、位置情報を受信しなければステップＳ３０７に飛ぶ。
【００３１】
　（ステップＳ３０６）ステップＳ３０５で受信した位置情報をバッファに格納する。
【００３２】
　（ステップＳ３０７）位置情報がバッファに存在するか否かを判断する。位置情報が存在すればステップＳ３０８に行き、位置情報が存在しなければステップＳ３０９に飛ぶ。
【００３３】
　（ステップＳ３０８）情報選択部１３０３は、バッファの位置情報に基づいて、バッファにある情報の中で、出力する情報を選択する。
【００３４】
　（ステップＳ３０９）情報選択部１３０３は、バッファ中の情報をランダムに選択する。ここでの、情報選択のアルゴリズムは問わない。
【００３５】
　（ステップＳ３１０）情報出力部１３０４は、ステップＳ３０８またはステップＳ３０９で選択した情報を出力する。
なお、図３のフローチャートにおいて、電源ＯＦＦなどの割り込みにより処理は終了する。
【００３６】
　以下、本実施の形態におけるショッピングカートシステムの具体的な動作について説明する。今、図４に示すようなショッピングカートシステムが大型のスーパーマーケットに存在する。本ショッピングカートシステムは、情報送信装置１１、位置情報送信装置（１２（１）、１２（２）等）、ショッピングカート（１３（１）、１３（２）等）を有する。
【００３７】
　また、情報送信装置１１の情報格納部１１０１は、図５に示す情報を格納している。図５は情報管理表であり、「ＩＤ」「位置情報」「情報」の３つの属性値を有するレコードを１以上格納している。「ＩＤ」はレコードを識別する情報である。「位置情報」は、例えば、陳列棚の位置を識別する情報である。「位置情報」は、ＰＨＳの基地局からの送信される複数の電波の強度により特定される位置を示す情報等でも良い。「情報」は、例えば、商品の広告情報であり、そのタイプは問わない。つまり、「情報」は、動画や静止画や音声情報やテキストなど、何でも良い。図６は、位置情報と陳列棚の対応を示す表である。「０１」の位置情報は、調味料の棚の位置であることを示す。
【００３８】
　かかる場合に、情報送信装置１１は、図５に示す情報を、例えば、定期的に店内のショッピングカートに送信する。そして、位置情報送信装置は、常時、位置情報を送信する。位置情報送信装置は、例えば、ブルートゥースの通信手段により位置情報を外部に送信する。買い物客は、ショッピングカートの移動中に、図５の情報をすべて受信する。そして、買い物客は、ショッピングカートを調味料の棚の近くまで移動させたとする。かかる場合、ショッピングカートは、位置情報送信装置１２（１）から位置情報「０１」を取得す
る。そして、ショッピングカートは位置情報「０１」と対になる情報を選択する。ここでは、ショッピングカートは「ＩＤ＝１」の情報「酢はＸＸ。１ビン２５０円・・・」を選択するとする。そして、ショッピングカートは選択した情報「酢はＸＸ。１ビン２５０円・・・」をディスプレイに表示する（図４参照）。
【００３９】
　そして、買い物客は、次に、お菓子の棚の近くに移動した、とする。かかる場合、ショッピングカートは位置情報「０２」を取得する。そして、ショッピングカートは、位置情報「０２」と対になる情報を選択する。ショッピングカートは「ＩＤ＝４」の情報「チョコレートは、ＡＢＣ。定価１００円。本日、特売。１ヶ７０円。」を選択し、出力する（図４参照）。
【００４０】
　以上、本実施の形態によれば、買い物客が、買い物中に常に保持しているショッピングカートに、カートの位置に応じた広告情報や特売等の情報を出力することができる。従って、買い物客にとって買い物がし易く、かつ、お店にとって適切な販売促進が可能になる。
【００４１】
　なお、本実施の形態において、ショッピングカートは情報を外部の情報送信装置から受信したが、商品情報や広告情報等の情報はショッピングカートが保持していても良い。
【００４２】
　また、本実施の形態において、ショッピングカートは、陳列棚に設置されている位置情報送信装置から位置情報を受信したが、他の構成でも良い。例えば、陳列棚に情報送信装置が設置されており、かかる情報送信装置が保持する情報は、陳列棚の商品に関する情報であっても良い。ショッピングカートは、かかる情報送信装置から送信される情報を受信することにより、ショッピングカートは、ショッピングカートの位置に基づいた情報を受信し、表示することができる。つまり、ショッピングカートは、ショッピングカートの位置に基づいてディスプレイに情報を表示するショッピングカートであれば良い。かかる場合のショッピングカートの構成は以下のようになる。つまり、ショッピングカートは、情報を表示するディスプレイを具備するショッピングカートであって、ショッピングカートの位置に基づいてディスプレイに情報を表示するショッピングカート、である。
【００４３】
　また、本実施の形態において、ディスプレイは、ユーザがショッピングカートを押す側の面の前面上部に設置されていたが、ディスプレイの位置は問わない。但し、ディスプレイはユーザが見えやすい位置に存在することが好適である。例えば、図７のような位置にディスプレイが設置されていても良い。なお、カートの押手（ユーザ）が向かう方向に情報が表示されることが好適である。また、情報が表示される面（例えば、ディスプレイ）が、押手側の面を除く他の面に設置されていることが好適である。情報が表示される面が、押手側から最も遠方の面に設置されていることがさらに好適である。かかることは、他の実施の形態においても同様である。
【００４４】
　また、本実施の形態において、ショッピングカートの代わりに、買い物かごでも良い。つまり、上述した動作を行う買い物かごである。買い物かごは、ショッピングカートと比較して、車輪がなく、ユーザが手にぶら下げるような形態である。かかる場合の買い物かごは、情報を表示するディスプレイを具備する買い物かごであって、買い物かごの位置に基づいてディスプレイに情報を表示する買い物かご、である。また、かかる場合の買い物かごは、ディスプレイと、情報を受信する情報受信部と、位置情報を受信する位置情報受信部と、情報受信部で受信した情報の中から位置情報に応じて情報を選択する情報選択部と、情報選択部が選択した情報をディスプレイに表示する情報出力部を具備する買い物かご、である。
【００４５】
　かかる買い物かごの外観の例を図８および図９に示す。図８の買い物かごは、ディスプレイをかごの上部に有する。図９の買い物かごは、ディスプレイがかごの一面を構成する。なお、買い物かごとショッピングカートは、車輪が設置されているか否か等の外観上の
違いしかないので、特別に買い物かごの動作については説明しない。かかることは、他の実施の形態においても同様である。
【００４６】
　また、本実施の形態において、買い物客が、ショッピングカートや買い物かごに情報を表示しないようにする手段（情報出力機能をオフにするにする手段）が備えられていても良い。例えば、図２９に示すような電源スイッチを有するディスプレイが設置されたショッピングカートである。また、例えば、買い物客はリモコンでショッピングカートの情報出力機能をオフにすることができても良い。また、他の実施の形態においても、買い物客の操作により、ショッピングカートや買い物かごの情報出力機能をオフにすることができても良い。また、ショッピングカートや買い物かごは、ディスプレイにスクリーンセーバーなどを表示して、情報を非表示にしても良い。かかることは他の実施の形態においても同様である。
【００４７】
　また、本実施の形態において、カートの形状は問わない。カートは、例えば、購入する商品を格納する部位（かご）がなく、購入する商品を格納する買い物かごを載せる形状のカートでも良い。かかるカートの例を図３０および図３１に示す。図３０のカートでは、ディスプレイは買い物客の遠い面の正面に設置されている。また、図３１のカートでは、ディスプレイは買い物客の近い面の正面に設置されている。かかることは、他の実施の形態においても同様である。
【００４８】
　また、本実施の形態において、情報送信装置が存在せずに、ショッピングカートは、情報を予め保持していても良い。かかる場合のショッピングカートシステムのブロック図は、図３４に示すようになる。ショッピングカートシステムは、位置情報送信装置１２、ショッピングカート３４３を有する。ショッピングカート３４３は、情報保持部３４３０１、位置情報受信部１３０２、情報選択部１３０３、情報出力部１３０４を有する。情報保持部３４３０１は、１以上の情報を保持している。情報保持部３４３０１は、不揮発性の記録媒体が好適であるが、揮発性の記録媒体でも実現可能である。情報選択部１３０３は、情報保持部３４３０１の情報の中から、位置情報受信部１３０２が受信した位置情報に基づいて情報を選択する。
【００４９】
　さらに、本実施の形態における各種の処理は、ソフトウェアによって実現し、
ソフトウェアダウンロードにより提供しても良い。また、かかるソフトウェアをＣＤ−ＲＯＭ等の記録媒体に記録して配布しても良い。かかる実現手段に種々のものがあることは、他の実施の形態においても同様である。
【００５０】
　（実施の形態２）
図１０は、本実施の形態に係るショッピングカートシステムのブロック図である。ショッピングカートシステムは、情報送信装置１１、ショッピングカート１０１を有する。ショッピングカート１０１は、情報受信部１３０１、移動情報取得部１０１０２、情報選択部１０１０３、情報出力部１０１０４を有する。
【００５１】
　移動情報取得部１０１０２は、ショッピングカートの移動に関する情報である移動情報を取得する。移動情報とは、例えば、ショッピングカート１０１が動く経路に関する情報である経路情報である。また、移動情報とは、例えば、ショッピングカートのある地点での滞留時間を示す情報である滞留時間情報である。移動情報取得部１０１０２の実現手段は、移動情報の種類によって異なる。移動情報取得部１０１０２の実現手段の詳細は、以下で述べる。
【００５２】
　情報選択部１０１０３は、情報受信部１３０１が受信した情報の中で、移動情報取得部１０１０２が取得した移動情報に基づいて情報を選択する。移動情報が経路情報である場合は、情報選択部１０１０３は、例えば、行ったり来たりしている経路の横に存在する陳列棚の商品に関する情報を選択する。また、移動情報が滞留時間情報である場合は、滞留
時間が長い地点の近くに置かれて
いる商品に関する情報を選択する。つまり、情報選択部１０１０３が情報を選択するアルゴリズムは種々ある。情報選択部１０１０３は、移動情報に基づいて情報を選択すれば良い。情報選択部１０１０３は、通常、ソフトウェアにより実現されるが、ハードウェア（専用回路）で実現されても良い。
【００５３】
　情報出力部１０１０４は、情報選択部１０１０３が選択した情報を出力する。出力とは、ディスプレイへの表示やスピーカーへの出力である。なお、ショッピングカートにプリンタが設置されており、受信した情報を印刷しても良い。情報出力部１０１０４の実現手段は、出力の態様によって異なる。
【００５４】
　次に、ショッピングカート１０１の動作について図１１のフローチャートを用いて説明する。
【００５５】
　（ステップＳ１１０１）初期化を行う。初期化とは、情報を格納するバッファと移動情報を格納するバッファをＮＵＬＬ（空）にすることである。
【００５６】
　（ステップＳ１１０２）情報受信部１３０１は、情報送信装置１１から情報を受信したか否かを判断する。情報を受信すればステップＳ１１０３に行き、情報を受信しなければステップＳ１１０４に飛ぶ。
【００５７】
　（ステップＳ１１０３）ステップＳ１１０２で受信した情報をバッファに格納する。
【００５８】
　（ステップＳ１１０４）移動情報取得部１０１０２は、移動情報を取得する。なお、移動情報を取得する前に、必ず出力される候補となる情報は格納されている、とする。
【００５９】
　（ステップＳ１１０５）ステップＳ１１０４で取得した移動情報を記録する。ここでは、移動情報を追記する、とする。
【００６０】
　（ステップＳ１１０６）情報選択部１０１０３は、バッファに記録されている１以上の移動情報に基づいて、バッファに記録されている情報を選択する。
【００６１】
　（ステップＳ１１０７）情報出力部１０１０４は、ステップＳ１１０６で選択した情報を出力する。ステップＳ１１０２に戻る。
なお、図１１のフローチャートにおいて、電源ＯＦＦなどの割り込みにより処理は終了する。
【００６２】
　以下、本実施の形態におけるショッピングカートシステムの具体的な動作について説明する。まず、第一の例について説明する。図１２はショッピングカートシステムが設置されているスーパーマーケットの外観を示す図である。図１２によれば、カート置き場に多数のショッピングカートが存在し、買い物客はカートをカート置き場から取り、目的の商品が設置されている陳列棚に向かう。本ショッピングカートシステムにおいて、買い物客が移動した経路や、ある陳列棚での滞留時間に基づいて、ショッピングカートのディスプレイやスピーカー等に出力される情報が変わる。
【００６３】
　具体的には、図１２に示すように、各陳列棚には位置情報送信装置が複数設置されている。位置情報送信装置は、保持している位置情報（陳列棚、その棚の中でのおおよその位置を示す情報）を送信する。位置情報送信装置が位置情報を送信する手段は、ブルートゥースなどの近距離の無線通信手段である、とする。なお、位置情報を送信する手段は無線ＬＡＮやＰＨＳ等でも良い。近距離の無線通信手段を用いれば、ある位置に存在するショッピングカートが受信できる信号（位置情報）は定まり、ある特定の位置情報が受信できるカートは、当該位置情報を送信した位置情報送信装置の近くに存在することになる。その結果、ショッピングカートのおおよその位置が特定できる。そして、各位置情報送信装置が保持する位置情報は、図１２の位置情報送信装置の上または下に記載されている数字（０１、０２など）である。ここでは、ショッピングカートが最も近くに存在する位置情報送信装置から、一の位置情報のみを受信する、とする。図１２において図示していないが、ショッピングカートは、別途、情報送信装置から商品の広告情報などの情報を受信して、保持している、とする。
【００６４】
　情報送信装置からショッピングカートが受信した情報を図１３に示す。図１３は、商品情報管理表であり、「ＩＤ」「位置情報」「情報」「条件」を有するレコードを１以上有する。「ＩＤ」は、表管理のために必要であり、レコードを識別する情報である。「位置情報」は、情報を出力する位置情報を示す。「情報」は、商品の広告情報などの情報である。「条件」は、情報の出力条件を示す。ここでは、「情報」は、「位置情報」と「条件」に基づいて出力される。但し、「情報」は、「条件」のみに基づいて出力されても良い。
【００６５】
　かかる場合、買い物客がスーパーマーケットに入ってきて、カートをカート置き場から取り、図１２に示すように、缶詰棚、日用品棚へ移動した、とする。この場合にショッピングカートが取得した移動情報の例を図１４に示す。図１４は移動情報管理表である。移動情報管理表は、「ＩＤ］「位置情報」「時刻情報」を有するレコードを複数有する。ショッピングカートは、移動中に、位置情報を位置情報送信装置から受信し、また、保持している時計から時刻情報を取得する。
【００６６】
　そして、例えば１０秒に１回、移動情報管理表のレコードを構成し、記録する。移動情報管理表のレコードを構成し、記録することは、通常、定期的又は一定周期で行われる。そして、ショッピングカートは、図１４は移動情報管理表を構成する。かかる場合、ショッピングカートは、まず、図１４の移動情報管理表の「ＩＤ＝１」の「位置情報」に基づいて、保持している商品情報管理表の「ＩＤ＝１」の情報を選択し、出力する。「条件」の値が「−」のものは、「位置情報」のみに基づいて出力されるショッピングカートの出力例を図１５に示す。図１５によれば、入り口付近では、本日のセール情報をショッピングカートに表示する。
【００６７】
　次に、ショッピングカートは、図１４の移動情報管理表の「ＩＤ＝２」「ＩＤ＝３」の位置情報、時刻情報に基づいて、保持している商品情報管理表の「ＩＤ＝３」の情報を選択し、出力する。つまり、ショッピングカートは、図１４の移動情報管理表の「ＩＤ＝１」「ＩＤ＝２」「ＩＤ＝３」の位置情報から保持している商品情報管理表の「ＩＤ＝２」および「ＩＤ＝３」の情報を出力する情報の候補とする。そして、ショッピングカートは、図１４の移動情報管理表の「ＩＤ＝１」「ＩＤ＝２」「ＩＤ＝３」の「時刻情報」から「入口から１０秒以内」の「条件」を満たし、「３０秒以上滞留」の「条件」を満たさないことを判断する。そして、ショッピングカートは、図１４の移動情報管理表の「ＩＤ＝３」の情報を選択し、出力する。ショッピングカートの情報出力例は、図１６である。図１６によれば、ショッピングカートは音声と静止画の商品の広告情報を出力する。
【００６８】
　次に、ショッピングカートは、図１４の移動情報管理表の「ＩＤ＝２」「ＩＤ＝３」「ＩＤ＝７」「ＩＤ＝８」「ＩＤ＝９」「ＩＤ＝１０」の位置情報、時刻情報に基づいて、保持している商品情報管理表の「ＩＤ＝５０」の情報を選択し、出力する。つまり、ショッピングカートは、図１４の移動情報管理表の複数レコードから、本ショッピングカートが、缶詰棚で１５秒以上滞留し、日用品棚で３０秒以上滞留した、と判断する。そして、現在「２２」の位置情報が示す位置（日用品棚の真中あたり）にショッピングカートが、存在する。
【００６９】
　そして、ショッピングカートは、図１７に示すように、商品情報管理表の「ＩＤ＝５０」の情報を選択し、出力する。つまり、ここでは、缶詰と日用品を購入するお客様は、ひとり暮らしである可能性が高いので、ひとり暮らしの方への生活提案を行う商品群のコマーシャル情報をショッピングカートに出力する。
【００７０】
　次に、ショッピングカートシステムの第二の具体例について説明する。第二のショッピングカートシステムが設置されているスーパーマーケットの外観を示す図は、図１２である。なお、図１２の位置情報送信装置は、ここでは、商品情報を格納している情報送信装
置である。第二のショッピングカートシステムを構成するショッピングカートと情報送信装置の例を図１８に示す。ショッピングカートは、車輪の回転速度を検知する機構（コントロールユニット）を保持する。
【００７１】
　情報送信装置は、図１２に示すように、陳列棚の適切な場所に設置されている。情報送信装置は、商品情報ＤＢ（情報格納部）、情報取得部、無線部（情報送信部）を具備している。商品情報ＤＢには、情報送信装置が設置されている陳列棚の商品に関する情報が格納されている。情報取得部は、商品情報ＤＢから送信する情報を取得する、そして、無線部により、当該情報はショッピングカートに送信される。ある陳列棚の情報送信装置は、図１９の情報をショッピングカートに送信する、とする。
【００７２】
　そして、ショッピングカートのコントロールユニットで、車輪の回転速度を検知する。そして、ショッピングカートの情報選択部は、検知した車輪の回転速度に基づいて図１９の３つの情報から一の情報を選択する。そして、ショッピングカートの情報出力部は、選択した情報を出力する。つまり、回転速度が「０〜５」の場合は、ショッピングカートはゆっくり動いている、または、停止しているので、動画で構成された商品情報のＣＭを買い物客に見せる。また、回転速度が「１１以上」の場合は、ショッピングカートは速く移動しているので、本日の特売の情報（陳列棚の商品に関する情報で最もお客様に伝えたい情報）を音声で出力する。以上によれば、買い物客の移動速度に応じた情報提示が可能であり、かつ買い物客の位置に応じた情報提示が可能である。
【００７３】
　以上、本実施の形態によれば、買い物客が、買い物中に常に保持している
ショッピングカートに、カートの移動情報に応じた広告情報や特売等の情報を
出力することができる。従って、買い物客にとって買い物が便利になり、また、お店にとって販売促進になる。
【００７４】
　なお、本実施の形態において、ショッピングカートは情報を外部の情報送信装置から受信したが、商品情報や広告情報等の情報はショッピングカートが保持していても良い。かかる場合、ショッピングカートがハードディスク等の情報格納部を有することになる。ショッピングカートは、情報を外部から受信しても、内部に保持していても良いので、かかる場合のショッピングカートの構成は以下のようになる。つまり、ディスプレイと、ショッピングカートの移動に関する情報である移動情報を取得する移動情報取得部を具備し、移動情報に基づいて情報をディスプレイに表示するショッピングカート、である。
【００７５】
　また、本実施の形態において、移動情報は、ショッピングカートが動く経路に関する情報である経路情報や、ショッピングカートのある地点での滞留時間を示す情報である滞留時間情報やショッピングカートの速度情報であったが、ショッピングカートの移動に関する情報であれば、他の情報でも良い。
【００７６】
　また、本実施の形態において、情報送信装置が存在せずに、ショッピングカートは、情報を予め保持していても良い。かかる場合のショッピングカートシステムのブロック図は、図３５に示すようになる。ショッピングカートシステムは、ショッピングカート３５１を有する。ショッピングカート３５１は、情報保持部３４３０１、移動情報取得部１０１０２、情報選択部１０１０３、情報出力部１０１０４を有する。情報選択部１０１０３は、情報保持部３４３０１の中から、情報の移動情報取得部１０１０２が取得した移動情報に基づいて情報を選択する。
【００７７】
　さらに、本実施の形態において、ショッピングカートの代わりに、買い物かごでも良い。つまり、かかる買い物かごは、ディスプレイと、買い物かごの移動に関する情報である移動情報を取得する移動情報取得部を具備し、移動情報に基づいて情報をディスプレイに表示する買い物かご、である。また、かかる買い物かごは、さらに、情報を受信する情報受信部をさらに具備し、ディスプレイに表示する情報は情報受信部が受信した情報である
上記の買い物かご、である。買い物かごは、図８、図９に示すようなものである。
【００７８】
　（実施の形態３）
図２０は、本実施の形態に係るショッピングカートシステムのブロック図である。ショッピングカートシステムは、情報送信装置１１、ショッピングカート２０１を有する。ショッピングカート２０１は、情報受信部１３０１、商品情報読取部２０１０１、情報選択部２０１０２、情報出力部２０１０３を有する。
【００７９】
　商品情報読取部２０１０１は、商品に関する情報である商品情報を読み取る。商品情報は、例えば、商品の価格に関する情報である価格情報を含む。商品情報は、例えば、関連商品の販売促進のための情報を含む。商品情報は、例えば、商品の重量の情報を含む。また、商品情報は、例えば、商品の詳細な機能や産地などの情報も含む。また、商品情報は、例えば、商品特有の属性情報を含む。属性情報の例は、「山川Ａ雄のこだわり大根！」のような商品の優秀さを訴求するような情報等である。商品情報読取部２０１０１は、例えば、ＲＦタグから商品情報を取得するタグリーダーである。かかる場合、商品や商品を代理する札（紙）等にＲＦタグが貼付されている。ＲＦタグには、商品情報や商品情報を取得するための識別子等が記録されている。また、商品情報読取部２０１０１は、例えば、バーコードから商品情報を取得するバーコードリーダである。かかる場合、商品や商品を代理する札等にバーコードが貼付されている。バーコードにより、商品情報が取得され得る。なお、バーコードは、二次元バーコードやマイクロバーコードなどを含む概念であることは言うまでもない。また、バーコードリーダはいわゆるＯＣＲも含む。つまり、バーコードの代わりに印刷された文字でも良い。かかることは、本明細書全般に渡って言えることである。
【００８０】
　情報選択部２０１０２は、情報受信部１３０１が受信した情報の中で、商品情報読取部２０１０１が読み取った商品情報に基づいて情報を選択する。情報選択部２０１０２が情報を選択するアルゴリズムについては、以下に詳細に述べる。情報選択部２０１０２は、通常、ソフトウェアにより実現されるが、ハードウェア（専用回路）で実現されても良い。
【００８１】
　情報出力部２０１０３は、情報選択部２０１０２が選択した情報を出力する。出力とは、ディスプレイへの表示が一般的であるが、スピーカーへの音声出力や信号音出力、プリンタへの印字なども含む。情報出力部２０１０３は、例えば、ディスプレイとそのドライバーソフトと情報を表示するソフトウェアから実現され得る。情報出力部２０１０３の実現手段は、出力の態様により種々考えられる。
【００８２】
　以下、本実施の形態に係るショッピングカートシステムの動作について説明する。情報送信装置１１の動作については、既に説明したので、ここでの説明は省略する。
【００８３】
　次に、ショッピングカート２１の動作について図２１のフローチャートを用いて説明する。
【００８４】
　（ステップＳ２１０１）初期化を行う。初期化とは、情報を格納するバッファと商品情報を格納するバッファをＮＵＬＬ（空）にすることである。
【００８５】
　（ステップＳ２１０２）情報受信部１３０１は、情報送信装置１１から情報を受信したか否かを判断する。情報を受信すればステップＳ２１０３に行き、情報を受信しなければステップＳ２１０２に戻る。
【００８６】
　（ステップＳ２１０３）ステップＳ２１０２で受信した情報をバッファに格納する。
【００８７】
　（ステップＳ２１０４）商品情報読取部２０１０１は、商品情報を読み取ったか否かを判断する。商品情報を読み取ればステップＳ２１０５に行き、商品情報を読み取らなければステップＳ２１０４に戻る。
【００８８】
　（ステップＳ２１０５）ステップＳ２１０４で読み取った商品情報を格納する。ここでは、商品情報を追記する、とする。
【００８９】
　（ステップＳ２１０６）情報選択部２０１０２は、バッファに記録されている１以上の
商品情報に基づいて、バッファに記録されている情報を選択する。商品情報に基づく情報選択のアルゴリズムは、以下に具体的に説明する。
【００９０】
　（ステップＳ２１０７）情報出力部２０１０３は、ステップＳ２１０６で選択した情報を出力する。ステップＳ２１０２に戻る。
なお、図２１のフローチャートにおいて、電源ＯＦＦなどの割り込みにより処理は終了する。
【００９１】
　以下、本実施の形態におけるショッピングカートシステムの具体的な動作について説明する。ショッピングカートシステムの具体例を図２２に示す。本ショッピングカートシステムのショッピングカート２０１には、ディスプレイとバーコードリーダ（商品情報読取部）が設置されている。
【００９２】
　情報送信装置１１は、ブルートゥースの情報送信部を具備し、商品の陳列棚の上に設置されている。情報送信装置１１は、陳列棚に並べられている商品の販売促進のための商品情報が格納されている。また、陳列棚に並べられている商品には、商品の重量や商品の種類などを有する商品情報が記録されたバーコードが貼付されている。
【００９３】
　買い物客はカートを押して移動し、商品を購入すべくカートの中に商品を入れる。その際に、買い物客は、商品に貼付されているバーコードの情報をバーコードリーダで読みこむ。そして、今、買い物客は、５つの商品をカートに入れた、とする。その結果、ショッピングカートは、図２３の商品情報を取得する。図２３は、商品情報表である。商品情報表は、「ＩＤ」「商品ＩＤ」「商品の種類」「商品の重量」を有するレコードを１以上管理する。「商品ＩＤ」は、商品を識別する情報である。
【００９４】
　また、情報送信装置１１は、図２４に示す情報をショッピングカートに送信する。そして、ショッピングカートは、図２４に示す情報を受信する。図２４は、「ＩＤ」「条件」「情報」を有する。「条件」は、ショッピングカートが情報を出力する条件を示す。つまり、ショッピングカートは、ショッピングカートの中の商品の総重量が５００ｇ未満であれば、「ＩＤ＝１」の「情報」を出力し、ショッピングカートの中の商品の総重量が５００ｇ以上であれば、「ＩＤ＝２」の「情報」を出力する。
【００９５】
　そして、ショッピングカートは、取得した商品情報（図２３の表の情報）に基づいて、受信した情報の中から出力する情報を選択する。つまり、ショッピングカートは、取得した商品情報の総重量（図２３のすべての「商品の重量の和」）１８７０ｇに基づいて、図２４の「ＩＤ＝２」の情報を選択する。情報の出力例を図２５に示す。たくさんの買い物をしている買い物客の家族は、比較的人数が多いと判断し、量の多い商品の情報を出力する意図である。
【００９６】
　次に、情報送信装置１１は、図２６の情報をショッピングカートに送信する。図２６の情報は、「ＩＤ」「属性」「情報」を有する。ここでは、「属性」の値と、ショッピングカートが保持している商品情報の「商品の種類」の情報が合致すれば、その「属性」と対になる「情報」は出力される。
【００９７】
　ショッピングカートは、図２６の情報を受信する。そして、今、ショッピングカートは、図２３の商品情報を有しているので、「野菜」「肉」「ジュース」を「属性」の値として有する「情報」を選択する。つまり、ショッピングカートは、受信した図２６の情報から「ＩＤ＝１」「ＩＤ＝３」「Ｄ＝４」の「情報」を選択し、順次、出力する。ショッピングカートにおける情報の出力例は、図２７である。図２７は、「ＩＤ＝１」の情報の出力例である。なお、ショッピングカートにおける情報出力のアルゴリズムは、問わない。ショッピングカートが複数の情報を選択した場合に、複数の情報を順に、タイムシェアリングで出力しても良いし、ディスプレイのウィンドウを分割して、複数の情報を同時に出力しても良い。
【００９８】
　以上、本実施の形態によれば、買い物客が、買い物中に常に保持しているショッピングカートにおいて、カートに入れた商品の情報に基づいた情報を出力できる。従って、買い物客にとって買い物がさらに便利になり、また、お店にとってさらなる販売促進が可能になる。
【００９９】
　なお、本実施の形態において、ショッピングカートは情報を外部の情報送信装置から受信したが、商品情報や広告情報等の情報はショッピングカートが保持していても良い。かかる場合、ショッピングカートがハードディスク等の情報格納部を有することになる。ショッピングカートは、情報を外部から受信しても、内部に保持していても良いので、かかる場合のショッピングカートの構成は以下のようになる。ディスプレイに情報を表示するショッピングカートであって、商品に関する情報である商品情報を読み取る商品情報読取部を具備し、商品情報に基づいてディスプレイに情報を表示するショッピングカート、である。
【０１００】
　また、本実施の形態において、ショッピングカートは、ショッピングカート内の商品の重量に関する情報やショッピングカート内の商品の種類に関する情報に基づいて情報を表示したが、他の商品に関する情報である商品情報に基づいて情報を表示しても良い。他の商品情報とは、商品のメーカー名や商品の賞味期限や商品の名称等である。
【０１０１】
　また、本実施の形態において、図２８に示すような属性情報を別ウィンドウに表示しても良い。
【０１０２】
　また、本実施の形態において、情報送信装置が存在せずに、ショッピングカートは、情報を予め保持していても良い。かかる場合のショッピングカートシステムのブロック図は、図３６に示すようになる。ショッピングカートシステムは、ショッピングカート３６１を有する。ショッピングカート３６１は、情報保持部３４３０１、商品情報読取部２０１０１、情報選択部２０１０２、情報出力部２０１０３を有する。情報選択部１０１０３は、情報保持部３４３０１の情報の中から、商品情報読取部２０１０１が読み取った商品情報に基づいて情報を選択する。
【０１０３】
　さらに、本実施の形態において、ショッピングカートの代わりに、買い物かごでも良い。つまり、かかる買い物かごは、ディスプレイに情報を表示する買い物かごであって、商品に関する情報である商品情報を読み取る商品情報読取部を具備し、商品情報に基づいてディスプレイに情報を表示する買い物かご、である。また、かかる買い物かごは、ディスプレイに情報を表示する買い物かごであって、商品に関する情報である商品情報を読み取る商品情報読取部と、外部から情報を受信する情報受信部を具備し、商品情報に基づいて、ディスプレイに受信した情報を表示する買い物かご、である。
【０１０４】
　（実施の形態４）
図３２は、本実施の形態に係るショッピングカートシステムの概念図である。ショッピングカートシステムは、情報送信装置１１、位置情報送信装置１２、買い物かご３２１、ショッピングカート３２２を有する。買い物かご３２１は位置情報送信装置１２から受信した位置情報に基づいて情報送信装置２２からの情報を選択し、ショッピングカート３２２に渡す。ショッピングカート３２２は、ディスプレイを具備する。そして、ショッピングカート３２２は、買い物かご３２１から受信した情報をディスプレイに表示する。
【０１０５】
　図３３は、ショッピングカートシステム構成を示すブロック図である。買い物かご３２１は、情報受信部１３０１、位置情報受信部１３０２、情報選択部１３０３、情報受渡部３２１０１を具備する。ショッピングカート３２２は、ディスプレイ２１０１、情報受取部３２２０１、情報出力部１３０４を具備する。なお、図３３のブロック図において、簡単化のため、情報送信装置１１、位置情報送信装置１２、買い物かご３２１、ショッピングカート３２２はすべて１つであるとして記載している。
【０１０６】
　情報受渡部３２１０１は、情報選択部１３０３が選択した情報をショッピングカート３２２に送信する。情報受渡部３２１０１は、通常、無線または有線の通信手段により実現され得る。無線の通信手段は、近距離無線通信規約のブルートゥースが好適である。
【０１０７】
　情報受取部３２２０１は、情報受渡部３２１０１から送信された情報を受信する。情報受取部３２２０１は、通常、無線または有線の通信手段により実現され得る。無線の通信手段は、近距離無線通信規約のブルートゥースが好適である。
【０１０８】
　次に、ショッピングカートシステムの動作について説明する。本ショッピングカートシステムにおける買い物かごとショッピングカートの動作は、実施の形態１におけるショッピングカートの動作と同様であるので、詳細な説明を省略する。本ショッピングカートシステムにおける買い物かごとショッピングカートは、実施の形態１におけるショッピングカートの機能を分担して行う。つまり、買い物かごが情報の受信と位置情報に基づいた選択を行い、買い物かごが置かれるショッピングカートはその情報を出力する。
【０１０９】
　以上、本実施の形態によれば、買い物かごとショッピングカートが分離されており、使用時に買い物かごがショッピングカートの上などに設置される場合にも、カートの位置に応じた広告情報や特売等の情報を出力することができる。従って、買い物客にとって買い物がし易く、かつ、お店にとって適切な販売促進が可能になる。
【０１１０】
　また、本実施の形態によれば、情報の受信、選択、情報の出力を買い物かごとショッピングカートで分担して行ったが、他の分担方法でも良い。
【０１１１】
　また、本実施の形態によれば、実施の形態１におけるショッピングカートの機能を買い物かごとショッピングカートで分担したが、実施の形態２や実施の形態３におけるショッピングカートや買い物かごの機能を買い物かごとショッピングカートで分担しても良い。つまり、例えば、情報の受信のみ買い物かごで行い、商品情報の読み取り、情報の出力をショッピングカートで行っても良い。また、例えば、情報の受信のみ買い物かごで行い、移動情報の取得や情報の選択、情報の出力をショッピングカートで行っても良い。その他、種々の組み合わせが考えられる。
【０１１２】
　また、本実施の形態において、情報送信装置が存在せずに、買い物かごは、情報を予め保持していても良い。かかる場合のショッピングカートシステムのブロック図は、図３７に示すようになる。ショッピングカートシステムは、位置情報送信装置１２、買い物かご３７１、ショッピングカート３２２を有する。買い物かご３７１は、情報保持部３４３０１、位置情報受信部１３０２、情報選択部１３０３、情報受渡部３２１０１を有する。情報選択部１３０３は、情報保持部３４３０１の情報の中から、位置情報受信部１３０２が受信した位置情報に基づいて情報を選択する。
【０１１３】
　さらに、本実施の形態において、予め決められた条件に合致した場合に、ショッピングカートの情報を表示する機能を動作可能にする活性化部はショッピングカートにも買い物かごにも存在しなかったが、ショッピングカートまたは／および買い物かごに活性化部が存在しても良い。かかることは、他の実施の形態においても同様である。活性化部とは、例えば、カートの取っ手が握られたことを検知した場合に、例えば、ディスプレイを活性化する。かかる場合、カートの取っ手には、圧力センサーや温度センサー等、取っ手が握られたことを検知する手段が設置されている。活性化部は、かかるセンサーの値から取っ手が握られたことを検知し、取っ手が握られたことを検知した場合に、例えば、ディスプレイを活性化する。ディスプレイを活性化する、とは、ディスプレイに情報を表示できる状態にすることを言い、例えば、ディスプレイの電源をオフからオンにすることや、ディスプレイが待機状態の場合に、主電源をオンにすることを言う。
【０１１４】
　活性化部は、カートが有する車輪の動きを検知して、ディスプレイ等を活性化すること
で実現しても良い。また、例えば、活性化部は、ＩＣカードを読み込んだ際（挿入された際）、または半導体メモリーなどのメモリーが挿入されたことを検知して、ディスプレイ等を活性化しても良い。通常、ＩＣカードや半導体メモリーなどの記録媒体には、買い物客の属性情報（氏名、年齢、嗜好、趣味、家族構成など）が記録されている。嗜好とは、例えば、ベジタリアンであるとか、ある特定の宗教を信心していることなども含む。ある特定の宗教を信心している場合には、ある特定の食料品が食べられない。従って、かかる買い物客の属性情報は、ディスプレイへの情報表示に役立つ。
【産業上の利用可能性】
【０１１５】
　以上のように、本発明にかかるショッピングカートおよび買い物かごは、商品情報等を適切に表示できるという効果を有し、販売促進が可能になり、また、買い物にも便利なショッピングカートおよび買い物かごとして有用である。
【図面の簡単な説明】
【０１１６】
【図１】実施の形態１に係るショッピングカートシステムの概念図
【図２】実施の形態１に係るショッピングカートシステムの構成を示すブロック図
【図３】実施の形態１に係るショッピングカートの動作について説明するフローチャート
【図４】実施の形態１に係るショッピングカートシステムの概念図
【図５】実施の形態１に係る情報管理表を示す図
【図６】実施の形態１に係る位置情報と陳列棚の対応を示す表を示す図
【図７】実施の形態１に係るショッピングカートの例を示す図
【図８】実施の形態１に係る買い物かごの例を示す図
【図９】実施の形態１に係る買い物かごの例を示す図
【図１０】実施の形態２に係るショッピングカートシステムの構成を示すブロック図
【図１１】実施の形態２に係るショッピングカートの動作について説明するフローチャート
【図１２】実施の形態２に係るスーパーマーケットの外観を示す図
【図１３】実施の形態２に係る商品情報管理表を示す図
【図１４】実施の形態２に係る移動情報管理表を示す図
【図１５】実施の形態２に係るショッピングカートの情報出力例を示す図
【図１６】実施の形態２に係るショッピングカートの情報出力例を示す図
【図１７】実施の形態２に係るショッピングカートの情報出力例を示す図
【図１８】実施の形態２に係るショッピングカートシステムの概念図
【図１９】実施の形態２に係る商品情報管理表を示す図
【図２０】実施の形態３に係るショッピングカートシステムの構成を示すブロック図
【図２１】実施の形態３に係るショッピングカートの動作について説明するフローチャート
【図２２】実施の形態３に係るショッピングカートシステムの概念図
【図２３】実施の形態３に係る商品情報表を示す図
【図２４】実施の形態３に係る受信した情報の例を示す図
【図２５】実施の形態３に係るショッピングカートの情報出力例を示す図
【図２６】実施の形態３に係る受信した情報の例を示す図
【図２７】実施の形態３に係る受信した情報の例を示す図
【図２８】実施の形態３に係るショッピングカートの情報出力例を示す図
【図２９】実施の形態１に係るショッピングカートの例を示す図
【図３０】実施の形態１に係るショッピングカートの外観図
【図３１】実施の形態１に係るショッピングカートの外観図
【図３２】実施の形態４に係るショッピングカートシステムの概念図
【図３３】実施の形態４に係るショッピングカートシステムのブロック図
【図３４】実施の形態１に係る他のショッピングカートシステムの構成を示すブロック図
【図３５】実施の形態２に係る他のショッピングカートシステムの構成を示すブロック図
【図３６】実施の形態３に係る他のショッピングカートシステムの構成を示すブロック図
【図３７】実施の形態４に係る他のショッピングカートシステムの構成を示すブロック図
【符号の説明】
【０１１７】
　１１　情報送信装置
　１２　位置情報送信装置
　１３、２１、１０１，２０１　ショッピングカート
　１１０１　情報格納部
　１１０２　情報送信部
　１２０１　位置情報格納部
　１２０２　位置情報送信部
　１３０１　情報受信部
　１３０２　位置情報受信部
　１３０３、１０１０３、２０１０２　情報選択部
　１３０４、１０１０４、２０１０３　情報出力部
　１０１０２　移動情報取得部
　２０１０１　商品情報読取部
　３２１０１　情報受渡部
　３２２０１　情報受取部
【図１】
2004110805.tif 000003
【図２】
2004110805.tif 000004
【図３】
2004110805.tif 000005
【図４】
2004110805.tif 000006
【図５】
2004110805.tif 000007
【図６】
2004110805.tif 000008
【図７】
2004110805.tif 000009
【図８】
2004110805.tif 000010
【図９】
2004110805.tif 000011
【図１０】
2004110805.tif 000012
【図１１】
2004110805.tif 000013
【図１２】
2004110805.tif 000014
【図１３】
2004110805.tif 000015
【図１４】
2004110805.tif 000016
【図１５】
2004110805.tif 000017
【図１６】
2004110805.tif 000018
【図１７】
2004110805.tif 000019
【図１８】
2004110805.tif 000020
【図１９】
2004110805.tif 000021
【図２０】
2004110805.tif 000022
【図２１】
2004110805.tif 000023
【図２２】
2004110805.tif 000024
【図２３】
2004110805.tif 000025
【図２４】
2004110805.tif 000026
【図２５】
2004110805.tif 000027
【図２６】
2004110805.tif 000028
【図２７】
2004110805.tif 000029
【図２８】
2004110805.tif 000030
【図２９】
2004110805.tif 000031
【図３０】
2004110805.tif 000032
【図３１】
2004110805.tif 000033
【図３２】
2004110805.tif 000034
【図３３】
2004110805.tif 000035
【図３４】
2004110805.tif 000036
【図３５】
2004110805.tif 000037
【図３６】
2004110805.tif 000038
【図３７】
2004110805.tif 000039